(57)【要約】      （修正有）【課題】景観の向上に応じることのできるフェンスを提供する。【解決手段】桟１とリング２を備え、桟１は、間隔をあけて複数設けてあり、リング２は、上下方向に貫通しており、桟１の間に配置して桟１同士を連結し、リング２の内周側にある上下方向に貫通した保持孔に植木鉢、竹等の植栽用具類や金魚鉢などの鑑賞用具類を保持させる。【選択図】図１
2015078531.tif 000002
【特許請求の範囲】
【請求項１】
桟とリングを備え、桟は、間隔をあけて複数設けてあり、リングは、上下方向に貫通しており、桟の間に配置して桟同士を連結していることを特徴とするフェンス。  
【発明の詳細な説明】
【技術分野】
【０００１】
本発明は、敷地の境界や間仕切りなどに使用されるフェンスに関するものである。
【背景技術】
【０００２】
間隔をあけて複数の桟を設けるフェンスがあり、これらは、敷地の境界や間仕切りなどとして使用されている。    
【発明の概要】
【発明が解決しようとする課題】
【０００３】
近年、緑地の造成や公園整備などの都市景観を考慮する傾向にあり、その一環として住宅地に植栽を普及することで都市全体の景観の向上を求める動きがある。さらに、都市部の狭小地に建てられる住宅においても趣味としての植栽やガーデニングなどが盛んになっており、これらの要望を充足するものが求められている。
本発明は、上記課題を鑑みてなされたものであり、景観の向上に応じることのできるフェンスを提供することにある。
【課題を解決するための手段】
【０００４】
本発明は、桟とリングを備え、桟は、間隔をあけて複数設けてあり、リングは、上下方向に貫通しており、桟の間に配置して桟同士を連結していることを特徴とする。
【発明の効果】
【０００５】
本発明によれば、桟の間に配置して桟同士を連結するリングに、植木鉢などを保持できることから、フェンスを利用して都市景観の向上を図ることができる。また、リングが桟同士の連結手段となって桟の間のピッチを調整する必要がなくなるので施工が容易である。さらに、植木鉢などを桟の間に配置して桟同士を連結するリングで保持するものであるから、フェンスの強度が高くなる。さらに、桟の間に植木鉢などが配置されることから、桟との一体感が醸し出されてフェンスの外観意匠性が向上する。
【図面の簡単な説明】
【０００６】
【図１】本発明のフェンスの使用状態を示す斜視図である。
【図２（ａ）（ｂ）】（ａ）はリングの斜視図であり、（ｂ）は、リングを桟に取り付けるときの状態を示す要部を拡大した斜視図である。
【図３】本発明のフェンスの使用状態を示す全体正面図である。
【図４（ａ）（ｂ）（ｃ）】本発明のフェンスの他の実施形態を示すものであり、リングを桟に対して起倒式にしたものの要部を拡大した図である。（ａ）は、リングを起こした状態を示す正面図であり、（ｂ）（ｃ）は、本実施のリングの起倒時のそれぞれの状態を示す縦断面図である。
【図５（ａ）（ｂ）】（ａ）（ｂ）は、本発明のフェンスの他の実施形態を示すものであり、（ａ）は、桟が斜めに配置されるものの使用状態を示す正面図であり、（ｂ）は、桟がクランク状に屈曲したものの使用状態を示す正面図である。
【発明を実施するための形態】
【０００７】
以下に、図面に基づいて本発明によるフェンスの実施形態について説明する。
本実施によるフェンスは、図３のように、間隔をあけて立設した支柱となる縦桟（桟）１ａの間に上材３と下材４を設け、さらに、上記の上材３と下材４の間に複数の縦桟（桟）１を間隔をあけて固定したものである。また、隣接する縦桟１，１ａの間にリング２を配置して桟１，１ａ同士を連結し、リング２の内周側にある上下方向に貫通した保持孔９に植木鉢６、竹８等の植栽用具類や金魚鉢７などの鑑賞用具類を保持させている。
【０００８】
縦桟１，１ａは、本実施形態のものは略垂直に一直線状に立設するものであり、このうち、支柱となる縦桟１ａ間に配置される各縦桟１の上端を上材３に固定するとともに、下端を下材４に固定している。また、縦桟１，１ａには、図２（ｂ）のように、縦桟１，１ａの外周側部から略水平に突出するリング取付部１０が設けてある。また、リング取付部１０は、隣接する各縦桟１ａの外周側部の対向する位置に設けてあり、二つのリング取付部１０でリング２を支持する。
【０００９】
リング２は、図２（ａ）のように、内周側部に上下方向に貫通した略円形をなす保持孔９を有しており、また、上下の見付け幅を狭く形成して目立たなくしてある。これにより、リング２に何も保持していない状態でもフェンスがすっきりとして見栄えがよくなる。さらに、リング２の下端部外周側の二箇所には、切欠状に窪んだ被取付部１１がそれぞれ設けてある。また、リング２を縦桟１，１ａに取り付けるときは、図２（ｂ）のように、リング２の二つの被取付部１１を隣接する一方の縦桟１，１ａと他方の縦桟１，１ａのリング取付部１０にそれぞれ載せるとともにリング２を落とし込むことで、被取付部１１がリング取付部１０を呑み込ませる。さらに、リング取付部１０の下側からビスでリング２を固定する。これにより、リング２が縦桟１，１ａの下方に抜け出しが不能な状態で隣接する各縦桟１，１ａの間に取り付けられる。
【００１０】
上記のように形成したフェンスは、隣接する縦桟１，１ａの間にリング２を配置して桟１，１ａを連結しているので、フェンスを設置するときにリング２が連結手段となって縦桟１，１ａ間の間隔を調整する手間が省かれる。さらに、植木鉢６などをリング２に保持することで植木鉢６が縦桟１，１ａの間に配置される。これにより、植木鉢６などとフェンスとの統一感が醸し出されるので、フェンスやフェンスまわりの構造物の外観意匠性の向上が見込まれる。さらに、都市部などの狭小地に建てられる住宅であっても、桟１，１ａの間のスペースを利用して植栽やガーデニングを楽しむことができる。また、リング２は、桟１，１ａの間の任意の位置に配置することができるので、適宜リング２に植木鉢６などを保持させて自由なレイアウトで楽しむことができる。さらに、上記のフェンスでは、リング２を桟１，１ａから外すことができるので、嵩張らずにコンパクトに現場へ搬送できる。また、リング２の見込み方向の略中央位置で桟１，１ａに取り付けてあることから、フェンスの見込み方向の寸法を小さくできて、しかも、植木鉢６などを保持したリング２を安定して配置できるとともに、フェンスの前側と後側のどちら側からも植木鉢６などの取り付け作業が行える。さらに、リング２の大きさや配置する数や位置を自由に調整できる。これにより、縦桟１，１ａの密度を高くすることでフェンスに遮視効果をもたせることができる。また、縦桟１，１ａの密度を低くすることでフェンスに解放感を与えることできる。さらに、リング２のリング取付部１０を縦桟１，１ａの長手方向の適宜な箇所に複数設けることで、リング２を目的に合わせた適宜な箇所に取り付けることができるとともに、縦桟１，１ａのリング取付部１０に取り付けることでリング２の取り付けが強固になる。また、縦桟１，１ａの間隔が異なる箇所を適宜設けることで、リング２の大きさにバリエーションをもたせることができる。
【００１１】
また、本発明のフェンスを構成するリング２は、図３に示すように、フェンス同士の連結にも使用できる。フェンスの間においても植木鉢６などを保持することにより、敷地の境界や間仕切りの全長にわたって連続的で一体感のある外観意匠を形成できる。さらに、図４（ａ）〜（ｃ）のように、リング２を縦桟１に対して起倒式に形成することができる。本実施によるフェンスのリング２は、図４（ａ）のように、隣接する一方の縦桟１と他方の縦桟１の外周側部に対して、略水平に突出した軸部１２をそれぞれ挿通し、対応する縦桟１で軸支することによりリング２が縦桟１に対して水平軸回転自在に軸支される。さらに、リング２を倒したときに、図４（ｂ）（ｃ）のように、縦桟１の外周側部に設けてあるストッパー１３で止まり、リング２が略水平となる位置からそれ以上回転しないように形成してある。また、リング２の下端部外周側には、切欠状に窪んだストッパー受け部１４が設けてあり、リング２が略水平になったときにストッパー受け部１４でストッパー１３を呑み込んで保持し、リング２の使用時の安定性を高めている。また、上記のようにリング２を起倒式に形成したフェンスでは、リング２を回転して縦桟１の長手方向に揃えて略面一にできることから、嵩張らずにコンパクトに現場へ搬送できる。尚、本実施の起倒式のリング２は、支柱となる縦桟１ａにも取り付けることができる。また、本実施のものについても、リング２の見込み方向の略中央位置で桟１，１ａに取り付けてあることから、フェンスの前側と後側のどちらからも植木鉢６などの取付作業が行える。
【００１２】
本発明のフェンスは、上記の実施形態では略円形のリング２を挙げたが、図３のように、植木鉢６などをリング２の保持孔９に保持できるものであればよいから、矩形や多角形のリングとしてもよい。さらに、上記の実施形態では、一直線状の縦桟１，１ａを挙げたが、図５（ａ）のように、桟２１が斜めに配置されており、桟２１の間にリング２を取り付けたものでもよい。さらに、図５（ｂ）のように、桟３１がクランク状に屈曲しており、桟３１のクランクする部位のうち略垂直に延びる箇所にリング２を取り付けたものであってもよい。また、リング２に保持するものは、植木鉢６に限らず、上下に配置した複数のリング２に竹８などの長尺な植栽用具類を挿通するものや、金魚鉢７などの観賞用具類であってもよい。さらに、複数のリング２に跨って蔦を絡ませるもの、リング２にプランターなどを吊り下げるものやリング２の上に台を置くもの、動物が立ち留まるスペースとしての利用、リング２を旗立てとして利用する等、多種多用な使い方が可能である。さらに、上記の実施形態では、リング２を桟１，１ａに着脱できるものについて示したが、リング２を桟１，１ａ，２１，３１の間に固定したものであってもよい。また、フェンス全体において桟１，１ａ，２１，３１の間にリング２を配置する箇所と配置しない箇所を設けてもよい。
【符号の説明】
【００１３】
１  縦桟（桟）
１ａ  支柱用の縦桟（桟）
２  リング
３  上材
４  下材
６  植木鉢（植栽用具類）
７  金魚鉢（観賞用具類）
８  竹（植栽用具類）
９  保持孔
１０  リング取付部
１１  被取付部
１２  軸部
１３  ストッパー
１４  ストッパー受け部
２１  斜めに配置される桟（桟）
３１  クランク状の桟（桟）
【図１】
2015078531.tif 000003
【図２（ａ）（ｂ）】
2015078531.tif 000004
【図３】
2015078531.tif 000005
【図４（ａ）（ｂ）（ｃ）】
2015078531.tif 000006
【図５（ａ）（ｂ）】
2015078531.tif 000007